(57)【特許請求の範囲】
【請求項１】
障子と、竪枠と、開閉プレートと、メインアームと、サブアームと、引寄せアームとを備え、障子は上部が竪枠に上下動自在且つ回動自在に連結してあり、開閉プレートは竪枠に上下動自在に連結してあり且つ係合孔部を有し、係合孔部の室内側縁には竪枠の見込み方向室外側に突設した湾曲突部が形成してあり、メインアームは一端が障子の重心位置に回動自在に連結してあると共に他端が開閉プレートに上下動自在且つ回動自在に連結してあり、サブアームは一端がメインアームの中間部に回動自在に連結してあり且つ他端が竪枠に回動自在に連結してあり、引寄せアームは一端部がサブアームの中間部に上下動自在に連結してあり、中間部が竪枠に回動自在に連結してあり、他端部が開閉プレートの係合孔部に係合してあり、引寄せアームの他端部が開閉プレートの係合孔部内で湾曲突部よりも下方に位置しているときには障子の開閉に伴う引寄せアームの他端部の移動を許容し、この位置から開閉プレートが下方に移動すると、引寄せアームの中間部よりも下側で引寄せアームの他端部が湾曲突部に下方から乗り上げることで、引寄せアームがその中間部を中心にして他端部を室外側に向けて回動し、引寄せアームの一端部がサブアームを室内側に向けて回動して、障子を室内側に引寄せることを特徴とするすべり出し自然換気窓。
【請求項２】
引寄せアームは一端部と中間部と他端部とで室内側に向けて開いた角度を形成していることを特徴とする請求項１に記載のすべり出し自然換気窓。
【発明の詳細な説明】
【技術分野】
【０００１】
本発明は、無風及び微風時には障子を開き、強風時には障子を閉じる自然換気状態が可能なすべり出し自然換気窓に関する。
【背景技術】
【０００２】
特許文献１には、障子の左右各々において、障子の上部を竪枠に上下動自在で且つ回転自在に設けて、メインアームの一端を障子の重心位置に回転自在に連結し他端を枠に対して上下移動自在に連結し、サブアームの一端をメインアームの中間位置に回動自在に連結し他端を枠に回動自在に連結して、無風及び微風時には障子を開き、強風時には障子を閉じるすべり出し自然換気窓が開示されている。
また、左右の竪枠の一方には操作部の操作により上下動する連動部材が設けてあり、連動部材は一方のコーナードライブを介して水平移動する水平部材の一端に連結してあり、水平部材の他端にも他方のコーナードライブを介して他方の連動部材に連結して、障子の左右でメインアームの他端を上下移動するようにしている。
そして、障子を閉鎖するときには、閉じ位置にある障子を室内側に引寄せて障子にロックピンを係合している。
ロックピンは、水平部材に取り付けてあり、障子下框に設けた係合部材には室内側を下方にして傾斜する傾斜面を設けて、水平部材の移動によりロックピンを水平移動し、ロックピンが係合部材の傾斜面を乗り越えることで障子を室内側に引寄せている。
【先行技術文献】
【特許文献】
【０００３】
【特許文献１】２０１０−２３６２９７号公報
【発明の概要】
【発明が解決しようとする課題】
【０００４】
しかし、特許文献１の障子の引寄せ操作では、水平部材と他方のコーナードライブとの連結を一度外す必要がある為、他方のコーナードライブとの連結を外したり繋げたりする機構として、ストッパ部材やスプリング等を設けているので部品点数が多くなると共に構成が複雑になるという問題があった。
また、障子の開閉リンク機構を竪枠側に設け、障子の引寄せ機構を下枠側に設けているので、障子を引寄せるタイミング調整がし難いという問題があった。
【０００５】
そこで、本発明は、少ない部品点数で且つ簡易な構成で障子ロック時における障子の引寄せを行うことができると共に障子引寄せのタイミング調整がし易いすべり出し自然換気窓の提供を目的とする。
【課題を解決するための手段】
【０００６】
請求項１に記載の発明は、障子と、竪枠と、開閉プレートと、メインアームと、サブアームと、引寄せアームとを備え、障子は上部が竪枠に上下動自在且つ回動自在に連結してあり、開閉プレートは竪枠に上下動自在に連結してあり且つ係合孔部を有し、係合孔部の室内側縁には竪枠の見込み方向室外側に突設した湾曲突部が形成してあり、メインアームは一端が障子の重心位置に回動自在に連結してあると共に他端が開閉プレートに上下動自在且つ回動自在に連結してあり、サブアームは一端がメインアームの中間部に回動自在に連結してあり且つ他端が竪枠に回動自在に連結してあり、引寄せアームは一端部がサブアームの中間部に上下動自在に連結してあり、中間部が竪枠に回動自在に連結してあり、他端部が開閉プレートの係合孔部に係合してあり、引寄せアームの他端部が開閉プレートの係合孔部内で湾曲突部よりも下方に位置しているときには障子の開閉に伴う引寄せアームの他端部の移動を許容し、この位置から開閉プレートが下方に移動すると、引寄せアームの中間部よりも下側で引寄せアームの他端部が湾曲突部に下方から乗り上げることで、引寄せアームがその中間部を中心にして他端部を室外側に向けて回動し、引寄せアームの一端部がサブアームを室内側に向けて回動して、障子を室内側に引寄せることを特徴とするすべり出し自然換気窓である。
【０００７】
請求項２に記載の発明は、請求項１に記載の発明において、引寄せアームは一端部と中間部と他端部とで室内側に向けて開いた角度を形成していることを特徴とする。
【発明の効果】
【０００８】
請求項１に記載の発明によれば、サブアームに連結する引寄せアームを設けると共にメインアームの他端が係合する開閉プレートに引寄せアームを係合する構成とし、開閉プレートを上下動することにより自然換気状態にしたり、障子を引寄せて閉鎖することができるので、従来技術のように障子引寄せの為に水平部材とコーナードライブとの連結を外したり繋げたりする構成が不要であるから、従来技術に比較して構成が簡易であり且つ部品点数を少なくできる。
障子と竪框との間に設けた各アームやプレートにより障子開閉機構と障子引寄せ機構を形成しているので、障子の開閉機構と引寄せ機構を集約でき、障子引寄せのタイミング調整がし易い。
【０００９】
請求項２に記載の発明によれば、請求項１に記載の作用効果を奏すると共に、引寄せアームは一端部と中間部と他端部とで室内側に向けて開いた角度を形成しているので、これらが直線状を成している場合に比較して、障子開閉時における引寄せアームの竪枠見込み方向の移動面積を小さくでき、竪枠内に引寄せアームを収めようとしたときの竪枠の見込み寸法を小さくできる。
【図面の簡単な説明】
【００１０】
【図１】本実施の形態にかかるすべり出し自然換気窓であって、排煙状態を示す縦断面図である。
【図２】本実施の形態にかかるすべり出し自然換気窓であって、自然換気状態の障子開位置における縦断面図である。
【図３】本実施の形態にかかるすべり出し自然換気窓であって、自然換気状態の障子閉位置における縦断面図である。
【図４】（ａ）は本実施の形態にかかるすべり出し自然換気窓の閉鎖状態を示す縦断面図であり、（ｂ）は（ａ）に示すＹ部の図であり、引寄せアームの端部が湾曲突部に乗り上げる前の状態を示し、（ｃ）は（ａ）に示すＹ部の図であり、引寄せアームの端部が湾曲突部に乗り上げた後の状態を示す図である。
【図５】本実施の形態にかかるすべり出し自然換気窓の閉鎖状態における障子下框と下枠との重なり部分を示す平面図である。
【図６】本実施の形態にかかるすべり出し自然換気窓であって、図８のＡ−Ａ断面図である。
【図７】本実施の形態にかかるすべり出し自然換気窓であって、図８のＢ−Ｂ断面図である。
【図８】本実施の形態にかかるすべり出し自然換気窓を室内側から見た正面図である。
【発明を実施するための形態】
【００１１】
以下に、添付図面を参照して本発明の実施の形態を詳細に説明する。
図８に示すように、本実施の形態にかかるすべり出し換気窓１を設けた窓２は、上枠３と、下枠５と左右の竪枠７とで枠組された枠を備えており、竪枠７、７間には無目９が架設されており、無目９と下枠５との間で嵌め殺し窓１１が設けあり、無目９と上枠３との間に、２つのすべり出し自然換気窓１、１が左右に設けてあり、これらのすべり出し自然換気窓１、１の操作部１３は、嵌め殺し窓１１の下部であって一方の竪枠７に設けてある。尚、左右のすべり出し換気窓１、１間には、上枠と無目１３との間にも竪枠７が設けてある。
左右のすべり出し自然換気窓１は、同じ構成であるから、室内側から見て右側のすべり出し自然換気窓について説明する。また、一方のすべり出し自然換気窓１において、その左右の構成は同一であるから、図８における右竪枠７側の構成について説明する。
【００１２】
図１に示すように、すべり出し自然換気１は、竪枠７と、障子１５と、開閉プレート１７と、メインアーム１９と、サブアーム２１と、引寄せアーム２３とを備えている。尚、図１に示すすべり出し自然換気窓１は、排煙状態を示している。
竪枠７には、上部に上下方向に長い障子案内レール２５が設けてあり、中間部には上下方向に長い開閉プレート案内レール２７が設けてある。
【００１３】
障子１５は上框１５ａに回動軸２９が固定してあり、回動軸２９は障子案内レール２５に上下動自在で且つ回動自在に係合している。また、障子１５の上框１５ａにはウエイト２９が固定されている。障子１５の下框１５ｃには下方に向けて突設した係合部材４９が設けてあり、係合部材４９は障子１５を閉鎖するときに後述するロックピン４５が係合するようになっている。
【００１４】
開閉プレート１７には突起１７ａが設けてあり、突起１７ａは竪枠７に設けた開閉プレート案内レール２７に上下動自在に係合している。開閉プレート１７の下部にはメインアーム１９が係合する上下に長い長孔３３が形成されており、上部には引寄せアーム２３が係合する係合孔部３１が設けてある。係合孔部３１には、その室内側縁３１ｃに竪枠の見込み方向室外側に突設した湾曲突部３７が形成してあり、湾曲突部３７の下方には引寄せアーム２３の移動を許容する移動許容部３５が形成されている。移動許容部３５は係合孔部３１の下縁３１ａと竪枠見込み方向の室外側縁３１ｂと室内側縁３１ｃとで構成されている。
【００１５】
メインアーム１９は、一端１９ａが障子１５の重心位置に回動自在に連結してあると共に他端１９ｂに固定した軸２０が長孔３３を上下動自在に且つ回転自在に係合している。本実施の形態では、他端１９ｂに固定した軸２０は、開閉プレート案内レール２７にも係合して上下移動が案内されている。
【００１６】
サブアーム２１は、一端２１ａがメインアーム１９の中間部に回動自在に連結してあり且つ他端２１ｂが竪枠７に軸２２により回動自在に連結してある。
【００１７】
引寄せアーム２３は一端部２３ａに上下方向に長い長孔２３ｄが形成されており、サブアーム２１の中間部設けた軸２６が長孔２３ｄを移動自在に係合している。引寄せアーム２３の他端部２３ｂには突起２４が設けてあり、突起２４は開閉プレート１７の係合孔部３１に係合している。引寄せアーム２３の中間部２３ｃは、竪枠７に回動自在に連結されている。また、引寄せアーム２３は、一端部２３ａと中間部２３ｃと他端部２３ｂを直線状に連結してなり、一端部２３ａと中間部２３ｃとを結ぶ一方直線部２３Ｅと、中間部２３ｃと端端部２３ｂを結ぶ他方直線部２３Ｆとが室内側に向けて開く鈍角を成している。この鈍角は、例えば、１２０度である。
【００１８】
開閉プレート１７には、上下方向に移動する連動部材３９が連結部材４１により連結されている。連動部材３９は、図８に示すように、操作部１３のハンドル１２操作により上下動するようになっている。また、連動部材３９は一方のコーナードライブ４３ａを介在して無目９の上面に設けた水平部材４５に連結されている。尚、水平部材４５の他端は他方のコーナードライブ４３ｂを介して左側竪枠の開閉プレート１７に連結されている。そして、連動部材３９の上下動により水平部材４５が左右方向に移動するようになっている。
【００１９】
図５及び図６に示すように、水平部材４５にはロックピン４７が固定してあり、ロックピン４７水平部材４５と共に左右に移動する。一方、障子１５の下框１５ｂには係合部材４９が固定してあり、障子１５を閉じたときにロックピン４７が係合部材４９に係合可能にしてある。
【００２０】
次に、本実施の形態にかかるすべり出し自然換気装置１の操作、作用及び効果について説明する。
図４（ａ）に示す障子１５の閉鎖状態から自然換気状態にするときには、図８に示すように、操作部１３のハンドル１２を上位置Ｓから反時計方向に回して、Ｔ位置にすることにより、連動部材３９を上方に移動する。これにより、水平部材４５が図５においてＨ位置にあるロックピン４５が、係合部材４９と係合している状態からＧ位置に移動して係合部材４９との係合が外れて、障子１５のロックが解除される。
同時に、連動部材３９と共に開閉プレート１７が上方に移動し、図２及び図３に示す自然換気状態になる。
この自然換気状態では、図２に示すように障子１５が開位置にあるとき及び図３に示すように障子１５が閉位置のいずれの位置にあるときにもメインアーム１９の他端１９ｂに設けた軸２０は長孔３３を上下動自在になり且つ引寄せアーム２３の他端２３ｂに設けた突起２４は係合孔部３１の孔内を中間部２３ｃを中心に回動自在となる。即ち、係合孔部３１は障子１５の開閉に伴う突起２４の移動を許容する。
自然換気状態では、ウエイト２９とのバランスにより、図２に示すように室外が無風又は微風のときには障子１５が開き、図３に示すように、風が強いときには、障子１５が閉じる。
【００２１】
次に、排煙状態にするときには、図８に示すように、更にハンドル１２を一方向（反時計回り）に回してＶ位置にすることにより、連動部材３９を更に上方に移動して、開閉プレート１７を上げて、図１に示す排煙状態にする。図１に示す排煙状態では、メインアーム１９の他端１９ｂの軸２０は開閉プレート１７の長孔３３の下端縁３３ａに当接し、引寄せアーム２３の他端２３ｂの突起２４は、係合孔部３１の下縁３１ａと室内側縁３１ｃとのコーナに当接する。これにより、障子１５は最大開き状態が保持される。
【００２２】
障子１５を閉鎖するときには、操作部１３のハンドルを障子の開き方向とは逆方向（時計回り）に回してＳ位置にすることにより、連動部材３９を下方に移動し、開閉プレート１７を下げる。これにより、引寄せアーム２３の他端２３ｂにある突起２４は係合孔部３１の室内側縁３１ｃに沿って上方に摺動し、図４（ｂ）に示すように、室外側に突設する湾曲突部３７に下方から乗り上げるので、湾曲突部３７に乗り上げるときに引寄せアーム２３の他端部２３ｂは矢印で示すように室外側に押され、中間部２３ｃを中心して一端部２３ａが室内側に向けて回動する。これにより、引寄せアーム２３の一端部２３ａが連結されているサブアーム２１が室内側に回動してメインアーム１９を室内側に押し付け、図４（ｃ）に示すように、障子１５を室内側に引寄せる。
一方、連動部材３９が下方に移動すると、図５に示すように、障子１５を引寄せた状態で、水平部材４７が左側にスライドしてロックピン４５がＧ位置からＨ位置に移動して係合部材４９に係合し、障子１５をロックする。
【００２３】
本実施の形態によれば、サブアーム２１に連結する引寄せアーム２３を設けると共に引寄せアーム２３の他端２３ｂの突起２４が係合する開閉プレート１７の係合孔部３１に室外側に向けて突出する湾曲突部３７を形成し、引寄せアーム２３の突起２４が湾曲突部３７に乗り上げることにより障子１５を引寄せる構成であるから、少ない部品点数で且つ簡易な構成で障子１５のロック時における障子１５の引寄せを行うことができる。
障子１５と竪框７との間に、メインアーム１９、サブアーム２１や開閉プレート１７を主とした障子開閉機構と、引寄せアーム２３や開閉プレート１７を主とした障子引寄せ機構を設けているので、障子の開閉機構と引寄せ機構を集約でき、障子引寄せのタイミング調整がし易い。
引寄せアーム２３の形状を、一方側直線部２３Ｅと他方側直線部２３Ｆとが室内側に向けて開く鈍角を形成しているので、見込み方向における引寄せアーム２３の移動面積を最小限にでき、竪枠７内に引寄せアーム２３を収めようとしたときの竪枠７の見込み寸法を小さくできる
【００２４】
本発明は、上述した実施の形態に限らず、本発明の要旨を逸脱しない範囲で種々変形可能である。
例えば、開閉プレートの長孔３３は溝であっても良い。
請求項１に記載の発明においては、引寄せアーム２３の形状は限定されず、例えば一端部２３ａと他端部２３ｂと中間部２３ｃとで三角形を成すものであっても良い。また、一端部２３ａと他端部２３ｂと中間部２３ｃとで直線状を成すものであっても良い。
【符号の説明】
【００２５】
１      すべり出し自然換気窓
７      竪枠
１５    障子
１７    開閉プレート
１９    メインアーム
１９ａ  一端
１９ｂ  他端
２１    サブアーム
２１ａ  一端
２１ｂ  端端
２３    引寄せアーム
２３ａ  一端部
２３ｂ  他端部
２３ｃ  中間部
２３Ｅ  一方直線部
２３Ｆ  他方直線部
３１  係合孔部
３５  移動許容部
３７  湾曲突部
【図１】
0005717071.tif 000002
【図２】
0005717071.tif 000003
【図３】
0005717071.tif 000004
【図４】
0005717071.tif 000005
【図５】
0005717071.tif 000006
【図６】
0005717071.tif 000007
【図７】
0005717071.tif 000008
【図８】
0005717071.tif 000009